(57)【要約】【課題】  ＣＭ素材のＣＭ期間中の字幕表示の合否を判定する機能を持つ字幕監視装置は、ＣＭ素材のＣＭ期間中の字幕表示の合否判定についてはユーザーがＩＮ点とＯＵＴ点をその都度設定することが必要不可欠であった。本発明は、上記問題を解決し、ＣＭ素材のＣＭ期間を抽出することを含めて字幕表示の合否判定を自動化することを課題としている。【解決手段】  本発明の字幕監視装置は、音声１ｋＨｚのはじまりとおわりをトリガとしてＣＭ素材のＣＭ期間を自動判別し、そのＣＭ期間中の字幕表示の合否判定をする機能をもつことを特徴としている。この発明によれば、音声１ｋＨｚをトリガとしてＣＭ期間のＩＮ点とＯＵＴ点が判別されるので、ＣＭ素材のＣＭ期間については開始と終了をユーザーが手動で設定する必要がなくなり、ユーザーの手を煩わせることなく、ＣＭ期間の抽出と字幕表示の合否判定の自動化が可能となる。【選択図】  図３
2013089990.tif 000002
【特許請求の範囲】
【請求項１】
音声１ｋＨｚのはじまりとおわりをトリガとしてＣＭ素材のＣＭ期間を自動判別し、そのＣＭ期間中の字幕表示の合否判定する機能をもつことを特徴とする字幕監視装置。
【請求項２】
前記ＣＭ期間を自動判別する機能は、その機能に加えてＣＭ期間を字幕監視装置のスイッチ等から手動で設定することもできることを特徴とする請求項１に記載の字幕監視装置。
【請求項３】
前記ＣＭ期間を自動判別する機能は、ＣＭ期間の開始と終了のタイミングを微調整できることを特徴とする請求項１、２に記載の字幕監視装置。
【請求項４】
前記ＣＭ期間を自動判別する機能は、ラウドネス測定装置に実装することでＣＭ期間中のラウドネスの運用規定も自動判定できるようになることを特徴とする請求項１、２、３に記載の字幕監視装置。
【発明の詳細な説明】
【技術分野】
【０００１】
本発明は、音声１ｋＨｚをトリガとしたＣＭ期間の判定方法を用いて、ＣＭ素材のそのＣＭ期間中の字幕表示の合否を判定する機能を持つことを特徴とした字幕監視装置に関するものである。
【背景技術】
【０００２】
ＣＭ素材のＣＭ期間中の字幕表示の合否を判定する機能を持つことを特徴とした字幕監視装置は、字幕表示の運用において守るべき、ＣＭ開始後の１秒間に字幕が表示されないこと、ＣＭ終了前の１秒間に字幕が表示されないこと、字幕を消去するクリアスクリーンの実行でＣＭが終了していること、を自動で監視できるものの、ＣＭ素材のＣＭ期間については開始と終了をユーザーが装置スイッチ／接点入力／ＣＭ期間の時間入力等より手動で設定する必要がある。
【０００３】
またＣＭ素材に多重されるタイムコードのリニアリティにより、その開始と終了を自動的に判別できる機能はあるものの、全てのＣＭ素材にタイムコードが多重されているわけではなく、結果、字幕表示の合否判定は自動化できず人の手を離れない。
【先行技術文献】
【特許文献】
【０００４】
【特許文献１】特願２００７−１９８８１９号
【発明の概要】
【発明が解決しようとする課題】
【０００５】
よって、ＣＭ素材のＣＭ期間中の字幕表示の合否を判定する機能を持つことを特徴とした字幕監視装置は、ＣＭ素材のＣＭ期間については開始と終了をユーザーが装置スイッチ／接点入力／ＣＭ期間の時間入力等より手動で設定する必要があり、またＣＭ素材に多重されるタイムコードのリニアリティにより、その開始（ＩＮ点）と終了（ＯＵＴ点）を自動的に判別できる機能はあるものの、全てのＣＭ素材にタイムコードが多重されているわけではなく、結果、字幕表示の合否判定は自動化できず人の手を離れない、という問題があった。
【０００６】
本発明は、上記問題を解決し、ＣＭ素材のＣＭ期間を抽出することを含めて字幕表示の合否判定を自動化することが可能な装置を提供することを課題としている。
【課題を解決するための手段】
【０００７】
上記問題を解決する為に、本発明のＣＭ素材のＣＭ期間中の字幕表示の合否判定機能を持つ字幕監視装置は、ＣＭ素材のＣＭ期間開始前に存在する音声１ｋＨｚをトリガとして、その音声１ｋＨｚの終わりをもってＣＭ期間のＩＮ点を判別し、またＣＭ素材を格納するバンクのもつＣＭ期間終了後に音声１ｋＨｚを多重する機能を利用することにより、そのＣＭ期間終了に多重された音声１ｋＨｚのはじまりをもってＣＭ期間のＯＵＴ点を判別する機能を持つことを特徴とした装置に関するものである。
【０００８】
この発明によれば、音声１ｋＨｚをトリガとしてＣＭ期間のＩＮ点とＯＵＴ点が判別されるので、ＣＭ素材のＣＭ期間については開始と終了をユーザーが装置スイッチ／接点入力／ＣＭ期間の時間入力等より手動で設定する必要がなくなり、ユーザーの手を煩わせることなく、ＣＭ期間を抽出することを含めて字幕表示の合否判定の自動化が可能となる。
【発明の効果】
【０００９】
本発明によれば、ＣＭ素材のＣＭ期間についてＩＮ点とＯＵＴ点をユーザーが装置スイッチ／接点入力／ＣＭ期間の時間入力等より手動で設定する必要がなくなり、音声１ｋＨｚをトリガにしてＣＭ素材のＣＭ期間のＩＮ点とＯＵＴ点が判別することが可能であるので、ＣＭ期間を抽出することを含めて字幕表示の合否判定が自動化でき、ユーザーの負担が大幅に軽減されるとともに、ユーザーが常時監視する必要がなくなることから、作業の効率化にもつながるという効果がある。
【図面の簡単な説明】
【００１０】
【図１】従来技術による字幕監視装置のブロック図である。
【図２】従来技術による字幕監視装置の画面表示図である。
【図３】本発明による音声１ｋＨｚをトリガとしてＣＭ期間を自動判別する為のブロック図である。
【発明を実施するための形態】
【００１１】
以下、従来の技術について図１を用いて説明する。
【００１２】
ＳＤＩ信号１００を字幕監視装置３００に入力し、入力コンバータ回路１１０にて映像データ１１２に変換する。
【００１３】
アンシラリデコーダ回路１２０にて、入力データ１１２から映像データ１２１と字幕データ１２２を抽出する。
【００１４】
字幕文作成＆合否判定回路１３０にて、字幕データ１２２から画面に表示される文言となる字幕文データ１３２を作成する。またスイッチ操作あるいはＰＣ制御２００からのＩＮ点設定２０２とＯＵＴ点設定２０４にてＣＭ期間を入力し、その期間中に字幕データ１２４を監視することで字幕表示の合否判定１３４を行う。
【００１５】
画面コンバータ回路１４０にて、映像データ１２１と字幕文データ１３２より字幕付き映像を作成し、合否判定１３４より、それに字幕表示の合否判定結果も付加して画面データ１４２を作成する。
【００１６】
出力コンバータ回路１５０にて、ＳＤＩ出力１５２とＨＤＭＩ出力１５４を字幕監視装置３００より出力する。
【００１７】
以上により、本装置をモニタとつなぐことでＣＭ素材の字幕監視が可能となり、ユーザーがＩＮ点とＯＵＴ点を設定することでＣＭ期間中の字幕表示についての合否判定結果もモニタ可能となる。但し、ＣＭ素材のＣＭ期間中の字幕表示の合否判定についてはユーザーがＩＮ点とＯＵＴ点を設定することが必要不可欠となり、ＣＭ素材毎にその作業を行うことは効率的ではなくユーザーの負担も大きい。
【００１８】
次に、従来の技術を字幕監視装置に適用し、外部モニタに接続した場合の画面表示について図２を用いて説明する。
【００１９】
画面４００には、ＣＭ素材の字幕文付き映像４０２とユーザーがＩＮ点とＯＵＴ点を入力することで設定したＣＭ期間中の字幕表示の合否判定結果４０４が表示される。
【００２０】
次に、本発明による音声１ｋＨｚトリガ機能を字幕監視装置に追加した場合について図３を用いて説明する。
【００２１】
ＳＤＩ信号１００を字幕監視装置３００に入力し、入力コンバータ回路１１０にて映像データ１１２に変換する。
【００２２】
アンシラリデコーダ回路１２０にて、入力データ１１２から映像データ１２１と字幕データ１２２と音声データ１２４を抽出する。
【００２３】
音声１ｋＨｚトリガ回路５００にて、音声データ１２４から１ｋＨｚ音声を検出する。音声１ｋＨｚ検出は、スイッチ操作あるいはＰＣ制御２００からの音声ＣＨ設定２０６にて選択された音声チャンネルに対して、その音声データの符号ビットの変化する間隔をみて判断する。それにより検出した音声1ｋＨｚのおわりをＣＭ期間の開始となるＩＮ点設定（ＡＵＴＯ）５０２とし、その後ＣＭ期間中に検出した音声1ｋＨｚのはじまりをＣＭ期間の終了となるＯＵＴ点設定（ＡＵＴＯ）５０４とする。尚、ユーザーが手動でＩＮ点とＯＵＴ点を設定する必要もあることを想定して、スイッチ操作あるいはＰＣ制御２００からのＩＮ点設定２０２とＯＵＴ点設定２０４も実行可能とする。
【００２４】
字幕文作成＆合否判定回路１３０にて、字幕データ１２２から画面に表示される文言となる字幕文データ１３２を作成する。また音声1ｋＨｚトリガ回路５００からのＩＮ点設定（ＡＵＴＯ）５０２とＯＵＴ点設定（ＡＵＴＯ）５０４にてＣＭ期間を入力し、その期間中に字幕データ１２２を監視することで字幕表示の合否判定１３４を行う。
【００２５】
ここでＣＭ期間の開始と終了を微調整するために、字幕文作成＆合否判定回路１３０では、ＣＭ期間の開始となるＩＮ点設定（ＡＵＴＯ）５０２はそのタイミングを実際の音声１ｋＨｚのおわりからある程度遅らせることを可能とし、同じく字幕文作成＆合否判定回路１３０にて、ＣＭ期間の終了となるＯＵＴ点設定（ＡＵＴＯ）５０４はそのタイミングを、過去の字幕データ１２２を参照することで相対的に、実際の音声１ｋＨｚのはじまりからある程度さかのぼることを可能とする。両者のタイミングはスイッチ操作あるいはＰＣ制御２００からのタイミング設定２０８にて行われる。
【００２６】
画面コンバータ回路１４０にて、映像データ１２１と字幕文データ１３２より字幕付き映像を作成し、合否判定１３４より、それに字幕表示の合否判定結果も付加して画面データ１４２を作成する。
【００２７】
出力コンバータ回路１５０にて、ＳＤＩ出力１５２とＨＤＭＩ出力１５４を字幕監視装置３００より出力する。
【００２８】
以上により、本装置をモニタとつなぐことでＣＭ素材の字幕監視が可能となり、音声１ｋＨｚトリガを用いることでＩＮ点とＯＵＴ点が自動で設定でき、ＣＭ期間中の字幕表示についての合否判定結果もモニタ可能となる。
【００２９】
これにより、ＣＭ素材のＣＭ期間中の字幕表示の合否判定についてユーザーが手動でＩＮ点とＯＵＴ点を設定する必要がなくなり、ＣＭ期間を抽出することを含めて字幕表示の合否判定が自動化でき、ユーザーの負担が大幅に軽減されるとともに、履歴を保存しておくことでユーザーが常時監視する必要がなくなることから、作業の効率化が図れる。
【００３０】
また本発明における音声1ｋＨｚトリガ機能は、判定対象に制限はなく、例えば聴感を定量的に表現するラウドネスの測定装置に実装することで、ＣＭ期間中のラウドネスの運用規定を監視できるラウドネス監視装置としても転用できる。
【符号の説明】
【００３１】
１００  ＳＤＩ信号
１１０  入力コンバータ回路
１１２  入力データ
１２０  アンシラリデコーダ回路
１２１  映像データ
１２２  字幕データ
１２４  音声データ
１３０  字幕文作成＆合否判定回路
１３２  字幕文データ
１３４  合否判定
１４０  画面コンバータ回路
１４２  画面データ
１５０  出力コンバータ回路
１５２  ＳＤＩ出力
１５４  ＨＤＭＩ出力
２００  スイッチ操作あるいはＰＣ制御
２０２  ＩＮ点設定
２０４  ＯＵＴ点設定
２０６  音声ＣＨ設定
２０８  タイミング設定
３００  字幕監視装置
４００  画面
４０２  字幕付き映像
４０４  合否判定結果
５００  音声１ｋＨｚトリガ回路
５０２  ＩＮ点設定（ＡＵＴＯ）
５０４  ＯＵＴ点設定（ＡＵＴＯ）
【図１】
2013089990.tif 000003
【図２】
2013089990.tif 000004
【図３】
2013089990.tif 000005